(57)【要約】【課題】油等の液体の浸入を防止した表示装置のフロントユニットを得ること。【解決手段】表示装置を収容する角筒状の胴部１１ｂと、胴部１１ｂの前端から外側へ張り出し上下の各辺に突起１４、１５が形成された鍔部１１ａとを備えたパネル１１と、鍔部１１ａの前面に配置されて表示装置を保護する保護シート２と、鍔部１１ａを挿入可能な筒状であり、内筒面に突起１４、１５に対応して凹部が設けられた側面部１２ｂと、開口１２ｃを備えて側面部１２ｂの前端部に設けられ、背面側には開口１２ｃを取り囲むように突起が形成された前面部１２ａとを有し、鍔部１１ａの前面との間に保護シート２を挟み込むように鍔部１１ａに装着されるフランジ１２とを備え、鍔部１１ａの下辺の突起１５の高さ寸法は、鍔部１１ａの上辺の突起１４の高さ寸法よりも大きい。【選択図】図１
2013101218.tif 000002
【特許請求の範囲】
【請求項１】
表示装置を収容する角筒状の胴部と、該胴部の前端から外側へ張り出し上下の各辺に第１の突起が少なくとも一つ形成された鍔部とを備えたパネルと、
前記鍔部の前面に配置されて前記表示装置を保護する保護シートと、
前記鍔部を挿入可能な筒状であり、内筒面に前記第１の突起の各々に対応して凹部が設けられた側面部と、開口を備えて前記側面部の前端部に設けられ、背面側には前記開口を取り囲むように第２の突起が形成された前面部とを有し、前記鍔部の前面との間に前記保護シートを挟み込むように前記鍔部に装着されるフランジとを備え、
前記鍔部の下辺の前記第１の突起の高さ寸法は、前記鍔部の上辺の前記第１の突起の高さ寸法よりも大きいことを特徴とする表示装置のフロントユニット。
【請求項２】
前記フランジは、前記側面部の下部側の前記凹部から前記側面部の背面側の端まで達する溝を有することを特徴とする請求項１に記載の表示装置のフロントユニット。
【請求項３】
前記側面部の背面側の端に面取りが施されていることを特徴とする請求項２に記載の表示装置のフロントユニット。
【発明の詳細な説明】
【技術分野】
【０００１】
本発明は、表示装置のフロントユニットに関する。
【背景技術】
【０００２】
従来の表示装置は、保護シートをフロントパネルの前面に両面テープで貼り付けている。
【０００３】
また、フロントパネルとの間に保護シートを挟み込むようにフロントパネルにフランジを装着し、保護シートの端面をフランジで覆う技術も知られている（例えば、特許文献１参照。）。この構造では、フロントパネル、保護シート及びフランジを含むアッシー部品を、フロントユニットとして扱うことが可能となる。
【先行技術文献】
【特許文献】
【０００４】
【特許文献１】実開平６−２１２８６号公報
【発明の概要】
【発明が解決しようとする課題】
【０００５】
しかしながら、上記従来の表示装置は、長期間使用すると、油等の液体が保護シートの端部に溜まり、さらには両面テープに浸透して機器内部に浸入する。機器内部に浸入した油等の液体は、タッチパネルや液晶などの電子機器にかかり、機器が動かなくなるという問題があった。
【０００６】
また、特許文献１のように、保護シートの端面を覆うように表示装置の前面にフランジを装着した構造でも、フランジと保護シートの隙間から油等の液体が浸入して保護シートの裏側に回り込み、タッチパネルや液晶などの電子機器を故障させることがあった。
【０００７】
本発明は、上記に鑑みてなされたものであって、油等の液体の浸入を防止した表示装置のフロントユニットを得ることを目的とする。
【課題を解決するための手段】
【０００８】
上述した課題を解決し、目的を達成するために、本発明は、表示装置を収容する角筒状の胴部と、胴部の前端から外側へ張り出し上下の各辺に第１の突起が少なくとも一つ形成された鍔部とを備えたパネルと、鍔部の前面に配置されて表示装置を保護する保護シートと、鍔部を挿入可能な筒状であり、内筒面に第１の突起の各々に対応して凹部が設けられた側面部と、開口を備えて側面部の前端部に設けられ、背面側には開口を取り囲むように第２の突起が形成された前面部とを有し、鍔部の前面との間に保護シートを挟み込むように鍔部に装着されるフランジとを備え、鍔部の下辺の第１の突起の高さ寸法は、鍔部の上辺の第１の突起の高さ寸法よりも大きいことを特徴とする。
【発明の効果】
【０００９】
本発明によれば、フランジと保護シートの隙間から油等の液体が浸入して保護シートの裏側に回り込み、タッチパネルや液晶などの電子機器を故障させることを防止できるという効果を奏する。
【図面の簡単な説明】
【００１０】
【図１】図１は、本発明にかかる表示装置のフロントユニットの実施の形態の構成を示す分解斜視図である。
【図２】図２は、フランジを背面側から見た斜視図である。
【図３】図３は、フランジの部分拡大図である。
【図４】図４は、フロントユニットの垂直断面図である。
【図５】図５は、フロントユニットの部分拡大図である。
【図６】図６は、フランジをパネルから取り外した状態のフロントユニットを示す断面図である。
【発明を実施するための形態】
【００１１】
以下に、本発明にかかる表示装置のフロントユニットの実施の形態を図面に基づいて詳細に説明する。なお、この実施の形態によりこの発明が限定されるものではない。
【００１２】
実施の形態．
図１は、本発明にかかる表示装置のフロントユニットの実施の形態の構成を示す分解斜視図である。フロントユニットは、フランジ１２、保護シート２及びパネル１１のアッシー部品として構成される。パネル１１は、図１では不図示の表示装置を収容される角筒状の胴部１１ｂと、胴部１１ｂの前端から外側へ張り出した鍔部１１ａとを有する。鍔部１１ａの上辺には突起１４が、下辺には突起１５が、左右の辺には突起１３がそれぞれ設けられている。フランジ１２は、鍔部１１ａを挿入可能な筒状である側面部１２ｂと、開口１２ｃを備えて側面部１２ｂの前端部に設けられた前面部１２ａとを有する。保護シート２は、両面テープ５によってパネル１１に貼り付けられている。フランジ１２は保護シート２とラップ（重なる）する寸法となっている。フランジ１２は、保護シート２の上からパネル１１に被せられており、突起（第１の突起）１３〜１５によってパネル１１に固定される。
【００１３】
図２はフランジ１２を背面側から見た斜視図である。図３は、フランジ１２の部分拡大図であり、図２のＡ部を示している。前面部１２ａの背面側には、保護シート２と接する部分には開口１２ｃを取り囲むように全周におよぶ突起（第２の突起）２４が設けられている。また、側面部１２ｂの内筒面には、突起１３、１４、１５の各々に対応して凹部１７が設けられている。さらに、フランジ１２には、下部側の凹部１７から側面部１２ｂの背面側の端に達する溝１８が形成されている。フランジ１２は、凹部１７に突起１３〜１５が入ることでパネル１１に固定される。
【００１４】
図４は、フロントユニットの垂直断面図である。図５は、フロントユニットの部分拡大図であり、図４のＢ部を示している。胴部１１ｂには表示装置１０が収容されており、表示装置１０の前面にはタッチパネル９が配置されている。保護シート２は、タッチパネル９及び表示装置１０を保護している。パネル１１に設けられている突起１３、１４、１５がフランジ１２の凹部１７と嵌合することにより、パネル１１に貼られている保護シート２の表面を突起２４が押さえ付ける。突起２４は、二色成型にてゴム材とするか、又は柔らかいゴムのような材料を貼り付けることで、突起２４を保護シート２の表面と密着させ、前面からの油等の液体が浸入することを防止する構造を実現することが容易となる。ただし、これらの手法は一例であり、異なる手法で突起２４を形成することも可能である。突起２４を二色成型で形成することにより、図５（ａ）に示すように二重突起のような複雑な形状で形成することが容易となる。また、柔らかい材料を貼り付けて突起２４とする場合には、図５（ｂ）に示すように、突起２４とする部材を単純な形状とすることで貼り付け作業が容易となる。二色成型を行う場合には、１回目の成型の材料としてはプラスチック（例えば、ＰＢＴ（polybutylene terephthalate）系のプラスチック）、２回目の成型の材料としてはエラストマーなどを適用可能であるが、これらの材料に限定されることはない。
【００１５】
また、フロントユニットの上部に関しても図５と同様に前面部１２ａの背面側と保護シート２との隙間２２が突起２４で塞がれた状態となるため、隙間２２から浸入することは防止される。
【００１６】
図６は、フランジ１２をパネル１１から取り外した状態のフロントユニットを示す断面図である。突起１４の寸法ａ、突起１５の寸法ｂ及び凹部１７の寸法ｃの関係をｃ＞ａ、ｃ＜ｂとすることで、図４に示したように下部側ではフランジ１２とパネル１１との間に隙間２０が形成され、隙間１９から浸入した油等の液体が隙間２０を通ってフロントユニットの外部へ排出される。すなわち、フランジ１２及びパネル１１の寸法設定により、フロントユニット下部に隙間２０ができ、矢印Ｃ方向へ油等の液体を排出できる。
【００１７】
さらに、パネル１１の鍔部１１ａの上部側の寸法ｄを、下部側の寸法ｅよりも（ｂ−ａ）だけ短くし、胴部１１ｂから突起１４の先端までの寸法（ａ＋ｄ）と胴部１１ｂから突起１５の先端までの寸法（ｂ＋ｅ）とが等しくなるようにすれば、フランジ１２の開口でパネル１１の前面部が露出する部分の寸法ｆ、ｇは、突起１４、１５の高さａ、ｂの違いに関わらず上下ともに同じ長さとなり、パネル１１の上下方向の中心とフランジ１２の上下方向の中心とを揃えることができる。
【００１８】
また、油等の液体を排出しやすいように、凹部１７に溝１８を設け、フランジ１２の側面部１２ｂの背面側の端には面取り２７を形成している。溝１８及び面取り２７を設けることにより、フランジ１２とパネル１１との間に油等の液体が滞留しないため、保護シート２の下方が油等の液体に浸ることはなく、両面テープ５に浸透して油が浸入することを抑制できる。
【００１９】
溝１８や面取り２７は、表示装置の前面や上下面には露出しないため、フランジ１２の美観を損なうことがなく、意匠性を高めることができる。
【００２０】
このように本実施の形態によれば、保護シートの貼り付け端面に油等の液体が溜まらないため、保護シートの端部から機器内部への油等が浸入することを防止できる。
【００２１】
また、突起の凹部との嵌合によってフランジとパネルとを結合するため、組立作業時に工具が不要であり生産性に優れる。また、構造がシンプルであるため、部品の製造コストを低く抑えることができる。
【産業上の利用可能性】
【００２２】
以上のように、本発明にかかる表示装置のフロントユニットは、油等の液体に対する耐性を要する箇所へ設置する表示装置へ用いるのに適している。
【符号の説明】
【００２３】
２  保護シート
５  両面テープ
９  タッチパネル
１０  表示装置
１１  パネル
１２  フランジ
１３、１４、１５、２４  突起
１７  凹部
１８  溝
１９、２０、２２  隙間
２５  ゴム材
２６  ゴム
２７  面取り
【図１】
2013101218.tif 000003
【図２】
2013101218.tif 000004
【図３】
2013101218.tif 000005
【図４】
2013101218.tif 000006
【図５】
2013101218.tif 000007
【図６】
2013101218.tif 000008